(57)【要約】      （修正有）【課題】ネットワーク接続デバイスでの設定を復元するための方法、認証デバイス、ネットワーク接続デバイス及びシステムを提供する。【解決手段】認証デバイスは、ネットワーク接続デバイスでの設定を復元するための開始信号を受信し、受信された開始信号に応じて、リンク層プロトコルを介し認証リクエストを送信する。ネットワーク接続デバイスは、認証リクエストに応じて認証デバイスから暗号化された復元認証応答を受信し、受信された復元認証メッセージを復号及び検証し、復元認証メッセージが検証された場合に、ネットワーク接続デバイスでの設定を復元する。【選択図】図２
2018067908.tif 000002
【特許請求の範囲】
【請求項１】
ネットワーク接続デバイスでの設定を復元するための方法であって、
認証デバイスをネットワーク上の隣接ノードとして前記ネットワーク接続デバイスに接続することと、
前記デバイスで前記設定を復元するためにリクエストを表示する開始信号を受信することと、
リンク層プロトコルを介して認証リクエストを送信することによって、前記認証デバイスへの前記設定を復元するために、前記ネットワーク接続デバイスから、完全に又は部分的に暗号化された前記認証リクエストを送信することであって、受信された前記開始信号に応じて前記リクエストが送信される、送信することと、
前記ネットワーク接続デバイスで、
前記認証リクエストに応じて前記認証デバイスから完全に又は部分的に暗号化された復元認証メッセージを受信することと、
受信された前記復元認証メッセージを復号化することと、
前記復元認証メッセージを検証することと、
前記復元認証メッセージが検証された場合に、前記ネットワーク接続デバイスでの前記設定を復元することと
を含む方法。
【請求項２】
前記開始信号が、前記ネットワーク接続デバイスに配置された復元開始機構の作動によって引き起こされる、請求項１に記載の方法。
【請求項３】
前記開始信号が、前記認証デバイスに配置された復元開始機構の作動によって引き起こされる、請求項１又は２に記載の方法。
【請求項４】
前記ネットワーク接続デバイスが、専用の認証デバイスだけと通信するように配置される、請求項１から３の何れか一項に記載の方法。
【請求項５】
前記復元認証メッセージが、前記認証デバイスで入力された識別コードを含む、請求項１から４の何れか一項に記載の方法。
【請求項６】
一組の復元プロファイル識別子を前記認証デバイスに配置することを更に含み、これにより幾つかの異なる復元状態への復元及び／又は幾つかの異なるネットワーク接続デバイスの復元が可能になる、請求項１から５の何れか一項に記載の方法。
【請求項７】
復元認証応答がデジタル署名される、請求項１から６の何れか一項に記載の方法。
【請求項８】
設定を復元することが、前記ネットワーク接続デバイスを、前記ネットワーク接続デバイスに対して予め設定された状態を含む復元プロファイルに復元することを含み、前記予め設定された状態が、前記ネットワーク接続デバイスへのアクセスに対するパスワードの復元を含む、工場から出荷された状態、又は重要なソフトウェアの更新により変更されたような状態に対応する、請求項１から７の何れか一項に記載の方法。
【請求項９】
ネットワーク接続デバイスでの設定を復元するための請求項１に記載の方法で使用される認証デバイスであって、
コントローラと、
ソフトウェア及び証明書用の不揮発性記憶装置と、
前記ネットワーク接続デバイスとのイーサネット通信用のポートと
を備え、
低レベルリンク層パケットを介してネットワーク接続デバイスとの通信のために構成されている認証デバイス。
【請求項１０】
復元プロセスのステータスを表示するためのインジケータを更に備える、請求項９に記載の認証デバイス。
【請求項１１】
復元開始機構であって、オプションで復元されるネットワーク接続デバイスの復元開始機構と直接通信する機構を備える、請求項９又は１０に記載のデバイス。
【請求項１２】
コード入力デバイスを更に備える、請求項９から１１の何れか一項に記載のデバイス。
【請求項１３】
イーサネット通信用の通過ポート、及びオプションでパワーオーバーイーサネット用の通過ポートを更に備える、請求項９から１２の何れか一項に記載のデバイス。
【請求項１４】
請求項１から８の何れか一項に記載の方法を実行するために構成されたネットワーク接続デバイス、及び請求項９から１３の何れか一項に記載の関連する認証デバイスを備える、ネットワーク接続デバイスの設定を復元するためのシステム。
【発明の詳細な説明】
【技術分野】
【０００１】
本発明は、電子デバイスを復元するための方法に関し、より具体的には、ネットワークカメラなどのヘッドレス電子デバイスに関する。
【背景技術】
【０００２】
ヘッドレス電子デバイスは、データ処理能力を有しているが、ディスプレイなどのグラフィカルなユーザインターフェースがない電子デバイスであり、またキーボードなどのデバイスと直接通信するための手段を持たないこともある。例には、ネットワーク接続ストレージ（ＮＡＳ）、ルータ、ＩＰカメラなどが含まれ、更なる例が、以下の明細書に記載されている。本開示では、本発明は、主にビデオモニタリング及び物理アクセス制御の領域について記載されることになるが、当業者は、本発明が他のヘッドレスバイスにも使用できることを理解するだろう。
【０００３】
ヘッドレスデバイスは、制御及びセットアップを目的として、ケーブル又は無線通信を介してアクセスされ得る。更に、信頼性向上のために、工場出荷時のデフォルト設定又は他の予め定義された復元設定までヘッドレスデバイスを復元する目的で、物理スイッチが存在することが多い。物理スイッチは専用のボタンであってもいいが、特定のプレスパターンと組み合わせた一又は複数のボタン、又は磁気鍵でアクセス可能な磁気スイッチであってもいい。
【０００４】
復元を開始する一般的理由は、パスワードをなくしてしまったことや、ヘッドレスデバイスの設定が、手動の再設定を通して復元が好ましい又は復元が唯一のオプションであるなどの好ましくない状態に陥ってしまったことである。
【０００５】
ヘッドレスデバイスは、誰もがデバイスに接続し、その設定を変更できるわけではないという意味で、電子的に保護され得る。これは、パスワードなどの適した組の証明書を使用して実現され得る。しかしながら、物理的復元は、デバイスとの定期的な通信が失敗した場合に解決策を提供するように設計されている点で、そのような通信を回避する方法である。よって、幾つかのヘッドレスデバイスについて、ヘッドレスデバイスに物理的にアクセスし、工場出荷時への復元（ｆａｃｔｏｒｙ  ｒｅｓｔｏｒｅ）にアクセス可能とすることで十分であり、工場出荷時への復元がいったん開始されると、その設定を変更し、それによってユーザ固有のパスワードをデフォルトのパスワードに取り消すことによってデバイスを乗っ取ることが可能である。そのような取り消しが、復元プロセスそれ自体の一部であることが多い。
【０００６】
上記問題に対処するための既存の解決策は、ルータの復元ボタンがロック可能なカバーによって保護される米国特許出願番号ＵＳ２００７／００７１１４Ａ１に開示されているような、物理的ロックを含む。物理的ロックを使用することによって、そのロックが配置されるデバイスの耐性が必要とされるようになり、その結果、少なくとも完全にではないが、任意のデバイスに改良可能な方法で使用できないことがある。この問題は、特に米国特許出願番号ＵＳ２００３／０００５２９４Ａ１の開示によって部分的に回避され、この場合、スマートカード及びオプションのピンコードが保護された端末を復元又はクリアするために使用される。
【０００７】
最悪ケースのシナリオでは、製品への物理的アクセス権を有する任意の個人が、ヘッドレスデバイスを乗っ取る機会を有し、記録データ（ビデオ）や設定変更などにアクセス可能となることだろう。そのようなシナリオは起こりそうになく、特に、残りにシステムによって検出されない状態を保つ必要性があると考えられるが、なおも改良は価値あることであろう。
【発明の概要】
【０００８】
したがって、上記に鑑み、本発明の目的は、ヘッドレス電子デバイスを工場出荷時のデフォルト設定に復元するための改良された方法及びデバイスを提供することである。
【０００９】
本発明の第１の態様によれば、上記目的は、ネットワーク接続デバイスでの設定を復元するための方法であって、
デバイスで設定を復元するためにリクエストを表示する開始信号を受信することと、
リンク層プロトコルを介して認証リクエストを送信することによって、ネットワーク上の隣接ノードとして配置される認証デバイスへの設定を復元するために、認証リクエストを送信することであって、受信された開始信号に応じてリクエストが送信される、送信することと、
認証リクエストに応じて認証デバイスから完全に又は部分的に暗号化された復元認証メッセージを受信することと、
受信された復元認証メッセージを復号化することと、
復元認証メッセージを検証することと、
復元認証メッセージが検証された場合に、ネットワーク接続デバイスでの設定を復元することと
を含む方法によって実現される。
【００１０】
方法は、権限を与えられた個人によって復元が開始されることを保証するセキュリティ特徴を加えるのであるが、これは、後続の復元から、任意の人物がネットワーク接続デバイスへアクセスできるであろう特に重要な特徴である。復元認証メッセージは、完全に暗号化することができるだろうが、ほとんどの場合、メッセージが認証されたソースから送信されることを保証できれば十分だろう。次に、完全に暗号化することの代替例は、例えば、デジタル署名をメッセージに加えるなど、メッセージの部分暗号化を実行することである。リンク層プロトコルを介した通信、即ち、イーサネットアドレスを有するデバイスを直接取り扱うことができる方法による効果及び利点は、発明を実施するための形態で検討されることになる。
【００１１】
更なる実施形態では、認証リクエストは、完全に又は部分的に暗号化することができるだろう。
【００１２】
一又は複数の実施形態では、開始信号が、ネットワーク接続デバイスに配置された復元開始機構の作動によって引き起こされ得る一方で、他の実施形態では、開始信号は、認証デバイスに配置された復元開始機構の作動によって引き起こされる。実際のセットアップでは、これらの可能性を組み合わせ、ユーザが最も都合のよい解決策を選択することができる。
【００１３】
１つの又は幾つかの実施形態では、ネットワーク接続デバイスは、専用の認証デバイスだけと通信するように配置され得る。これは、一致する証明書又は一対の公開／秘密暗号鍵をネットワーク接続デバイス及び認証デバイスそれぞれに配置することによって保証され得る。別のオプションは、復元動作を完全に認証するために、認証デバイスで入力され、ネットワーク接続デバイスに送信されるべきパスワード又は識別コードを含むことであろう。識別コードは、パスワードであってもよく、また実行される復元動作の種類を識別するプロファイル識別子を含んでいてもよい。
【００１４】
一又は複数の実施形態では、方法は、外部デバイスで認証デバイスにアクセスすることを含み得る。これは、より複雑なユーザインターフェースの使用を可能にするであろうから、より複雑な動作が実行される場合に有益であり得る。
【００１５】
プロファイル識別子はまた、幾つかの異なるネットワーク接続デバイスに関する識別子を含み得、単一の認証デバイスの延長使用（ｅｘｔｅｎｄｅｄ  ｕｓｅ）を可能にする。
【００１６】
任意の実施形態では、ネットワーク接続デバイスは、イーサネットケーブルを介してネットワークに接続され、必ずではないが、好ましくはパワーオーバーイーサネットを可能にし得る。更に、復元動作は、ネットワーク接続デバイスを、ネットワーク接続デバイスのプリセット状態を含む復元プロファイルに復元することであって、プリセット状態が、ネットワーク接続デバイスへのアクセス用のパスワードの復元を含む、工場から出荷された状態、又は重要なソフトウェアの更新により変更されたような状態に対応する、復元することを含み得る。
【００１７】
一又は複数の実施形態では、方法は、工場出荷時のデフォルトのパスワードと異なるパスワードを加えることを含み得る。これは、認証デバイスのキーパッド又はユーザインターフェースの使用により、又はネットワーク接続デバイスにプリセットを有することにより、実行され得る。結果として、復元プロセスが終了し、ネットワーク接続デバイスが再び接続可能になると、デフォルトのパスワードと異なるパスワードが設定されることになる。ネットワーク接続デバイスが認証されないアクセスに対してより脆弱であり得る時間間隙を埋めることによって、セキュリティが更にずっと向上するだろう。
【００１８】
第２の態様によれば、本発明は、ネットワーク接続デバイスでの設定を復元するための方法で使用される認証デバイスに関する。認証デバイスは、コントローラ、ソフトウェア及び証明書用の不揮発性記憶装置、イーサネット通信用のポート、及びオプションでパワーオーバーイーサネット用のポートを備え、低レベルのリンク層パケットを介してネットワーク接続デバイスと通信するように構成されている。
【００１９】
一又は複数の実施形態において、認証デバイスは、復元プロセスのステータスを表示するためのインジケータを備え得る。例として、認証デバイスは、ネットワーク接続デバイスとの成功したペアリング、リンクコンタクト、ＰｏＥ交渉が進行中又は終了していること、及び／又は復元プロセスが終了したことを示すことができるだろう。
【００２０】
任意の実施形態では、認証デバイスは、パワーオーバーイーサネット又は内部バッテリーを介して電力供給され得る。パワーオーバーイーサネットによる電力供給の場合、認証デバイスは、好ましくは、供給用にもともと配置されているパワーオーバーイーサネットからネットワーク接続デバイスまで電力を流すように構成され得る。
【００２１】
認証デバイスは、その一又は複数の実施形態では、復元開始機構、オプションで復元されるネットワーク接続デバイスの復元開始機構と直接通信する機構を備える。更に、認証デバイスは、識別コードの入力又は認証デバイスとの通信用の、数値キーパッドなどのコード入力デバイスを備え得る。コード入力デバイスは、好ましくは、その一部として、認証デバイスに統合される。
【００２２】
認証デバイスは、複数のネットワーク接続デバイスと通信可能な複数のイーサネットポートを備え得る。
【００２３】
第３の態様によれば、本発明は、ネットワーク接続デバイス及び任意の前述の又は後述の関連する認証デバイスを含む、ネットワーク接続デバイス設定の復元用システムに関する。本態様は、幾つかの実施形態を含み、例えば、ネットワーク接続デバイスは、前述又は後述の開示された１つの又は任意の実施形態による方法を実行するように設定され得る。
【００２４】
本発明が、別途明示的に記載されない限り、特性の可能な組み合わせ全てに関連するということに留意すべきである。
【００２５】
上記に加えて、本明細書のさらなる目的、特徴、及び利点は、添付の図面を参照するとともに、本発明の好適な実施形態の例示的で非限定的な詳細説明を通してより良く理解されるであろうが、この場合、同一の参照番号は、類似の要素に使用されることになる。
【図面の簡単な説明】
【００２６】
【図１】認証デバイスがネットワーク接続デバイスに接続した状態のネットワーク接続デバイスの概略図である。
【図２】本発明の方法の幾つかの実施形態を示す方法のフローチャートである。
【図３】本発明の実施形態による認証デバイスの概略平面図である。
【図４】カメラ形態の幾つかのネットワーク接続デバイスに接続された、本発明の更なる実施形態による認証デバイスを示す概略図である。
【発明を実施するための形態】
【００２７】
図１は、ネットワークデバイス１０４、本特定の例では、ネットワークカメラ１０４に接続された認証デバイス１０２の概略図である。カメラ１０４は、ある程度の通信が有効である一組のＬＥＤを有しているが、オペレータとの通信用ディスプレイを有していない意味で、ヘッドレスデバイスである。
【００２８】
カメラ１０４は、イーサネットケーブル１０６を介してイーサネットに接続されており、好ましくはパワーオーバーイーサネット（ＰｏＥ）を提供し、単一のコネクタだけがカメラ１０４で利用可能となる。ＰｏＥの使用には、イーサネットケーブル１０６が電力を伝達し、かつカメラへの及びカメラからの情報の転送を可能にするので、設置において、単一のネットワークケーブルを提供するだけでよいという直接の利点がある。実際の利点は、ＰｏＥを称する際の製品への電力は高電圧と見なされないので、高電圧規制が適用されず、訓練を受けていない人員が機器を操作し、インストールを行うことがあることであろう。
【００２９】
図１に示されるセットアップはまた、そのすぐ上流のカメラ１０６と直列に接続された認証デバイス１０２を含む。有効なイーサネットケーブルリード１０６は、カメラに接続されておらず、その代わりに認証デバイス１０２に接続されており、また１０６’によって画定された更なるケーブルも、ここで認証デバイス１０２及びカメラ１０４に接続されている。
【００３０】
ＰｏＥが使用されるとき、認証デバイス１０２は、カメラ１０４への電力供給が維持されるように、好ましくは、イーサネットケーブルを介して電力をバイパスし、またカメラ１０４への及びカメラ１０４からのデータ転送を維持し得る。一又は幾つかの実施形態では、認証デバイスを介したネットワーク接続デバイスへの及びネットワーク接続デバイスからのデータ転送は、復元実行後すぐに不正アクセスを防止するためなどに、復元プロセス中にブロックされる。
【００３１】
認証デバイス１０２は、それ自身の機能のためにイーサネットケーブル１０６から電力をタップするが、また別個の電源を有していてもよく、バッテリーなどの内部電源が提供されてもよい。イーサネットケーブルから電力をタップすることは、認証デバイスに含まれる構成要素が最小限に保たれ得る点で有利である。内側バッテリー又は別の電源を使用することもまた、幾つかの利点を有することができるだろう。１つの利点は、使用がＰｏＥで電力供給されるデバイスに限定されないであろうことである。そのような実施形態では、認証デバイスは、通貨ポートというよりはむしろ、ネットワーク接続デバイスに接続するためにイーサネット接続を必要とするに過ぎないだろう。
【００３２】
ＰｏＥ以外の外部ソースによってカメラに電力供給される別の実施形態では、認証デバイスは、カメラを介して、例えば、カメラ１０４から認証デバイス１０２までイーサネットケーブル１０６’を介して、又は別個の接続を介して、電力供給され得る。イーサネット又はイーサネットケーブルを介して認証デバイスをカメラに接続する代替方法は、無線通信を使用することだろう。そのようなアプローチは、カメラに物理的に接続しなくてもアクセスが提供され得るので、フレキシブルな観点から有利であり得る。しかしながら、これは、セキュリティの観点から弱点であるとも考えられ得る。
【００３３】
図１に戻り、カメラ１０４には、復元ボタン１０８が設けられる。本文脈において、復元ボタン１０８は、物理的なボタンというよりはむしろ機能を表すと認識することが重要である。復元ボタンは、実際には、専用の復元ボタン１０８であり得るが、特定のシーケンスにしたがって押されると復元を開始する一又は複数の汎用ボタンであってもよい。他の実施形態では、復元ボタンは、磁気的に又は電子的に作動させてもよく、ボタンがカメラハウジング内部に隠され、環境及び意図しない作動からある程度保護される点で利点を与える。一又は複数の実施形態では、図示されていないが、復元機能性は、近距離無線通信（ＮＦＣ）を使用して開始され、その通信において、カメラにはＮＦＣプロトコルを使用した通信用手段が提供されなければならないだろう。
【００３４】
カメラには、工場出荷時への復元用の機能性が提供され、カメラが工場から出荷された状態、例えば、カメラ製造業者が推奨する設定に対応する状態への復元を可能にする。実際の状況では、ユーザが復元動作を開始する主な理由は、パスワードが不適切であった若しくはなくなってしまったこと、又はネットワーク設定が機能しない値に設定されたことである。これらの問題がない場合、ネットワーク及びユーザインターフェースを介してカメラにアクセスすることがより便利だと考えられることが多い。復元にはいくつかのレベルが存在し得るが、一般に、復元動作により、すべてのユーザ設定が工場出荷時の設定によって消去及び交換される結果になるだろう。統計ログなど、カメラが工場から出荷されて以来更新されてきた幾つかのパラメータは、サービス間隔を維持するために、その状態を維持し得る。更に、復元状態に対応する設定は、例えば、ネットワークデバイス１０４のファームウェアを更新することになどによって変更されることがあり、それにより新しい工場出荷時のデフォルト状態が確立される。
【００３５】
認証デバイス１０２には、マイクロプロセッサ又はマイクロコントローラ１１０などの処理ユニットが設けられ、パスワード、証明書、及びオプションで一又は幾つかの復元プロファイル若しくは復元プロファイル識別子などの不揮発性記憶装置のための記憶ユニット１１２との通信及びその処理を可能にする。
【００３６】
図２は、１つの実施形態による方法についての機能フローチャートを示し、更なる理解のために図１と共に検討され得る。方法に従って、復元ボタン（何らかのボタン）の作動により、復元動作が開始する２１６。復元動作を開始する目的が、カメラと認証デバイスとの間の通信により認証される２１８。本実施形態によれば、以前インストールした証明書がカメラで利用可能であるのに対して、証明書の別の部分は、認証デバイス内に配置され、一般にそれは、秘密鍵が認証デバイスに配置され、鍵ペアの対応する公開鍵がカメラに配置される非対称暗号化プロセスに関する。
【００３７】
本実施形態又は他の実施形態では、開始信号及び後続リクエストは、カメラから認証デバイスにチャレンジ（ｃｈａｌｌｅｎｇｅ）を送信することを含み得る。チャレンジは、暗号化されたソルト型の（ｓａｌｔｅｄ）真理であり得る。認証デバイスは、次に秘密鍵でチャレンジを復号化し、秘密鍵でソルト型の真理を暗号化し、それをカメラに戻すことによって、チャレンジに沿った応答を提供する。応答は、したがって好ましくは、デジタル署名又は暗号化され、応答が特に又は少なくとも検証された認証デバイスによって（特定の時刻に）提供されたとカメラが推測することを可能にするが、このことは、どの技術が使用されるかに関係なく目的であろう。これは、基本的に、標準チャレンジ／応答認証に続く。このように、リプレイアタック、即ち、不審な目的でのカメラと認証デバイスとの間の古い通信の使用は、ブロックされ得る。カメラから送信されたチャレンジ又はリクエストが保護されるべき情報を含んでいる状況では、それらは暗号化され得る。図１に関連して示されたように、認証デバイス１０２は、認証デバイス１０２とカメラ１０４との間にスイッチ又はルータが配置されていない意味で、カメラ１０４のすぐ上流に配置される。カメラは、リンク層プロトコルを介して認証デバイスと通信することになり、よって、認証デバイスがカメラの直接的にネットワーク付近に、即ち、同一のネットワークセグメントに配置されることを検証することが可能である。なお、本発明の実際の使用を簡略化し得るタッチパネル及びケーブルを介した通信が可能になる。これらの種類の低レベルのネットワークパケットがルート決めされてないので、通信は、ネットワークセグメント内に留まることになる。この手法は、オペレータが、復元動作を開始するために、適切なハードウェアだけではなく適切なロケーションにもアクセスする必要がある点で、更なるセキュリティレベルをもたらすだろう。リンク層を介した通信を使用することによる更なる実際の利益は、ネットワークパラメータが動作しない状態に設定されており、高レベルのプロトコルで通信できないことである。高レベルのプロトコルには、いわゆるイーサネットアドレスが必要であるが、デバイスは、正確に設定されていない可能性があるので、イーサネットアドレスが正しく機能しないか又は単に知られていない。例えば、１つのネットワークセグメント内でローカルに使用される、いわゆるＭＡＣアドレスを使用するリンク層での通信は、常に、デバイスとの直接的な通信がデバイス構成と別個に可能であることを保証することになる。
【００３８】
上述のように復元開始が検証される場合、カメラの復元が実行されることになる２２２。本実施形態又は任意の実施形態における復元は、工場出荷時への復元、又は先ほど検討したような、任意の他の予め設定された復元プロファイルへの復元であり得る。
【００３９】
証明書又はパスワードが一致しない場合、又は認証デバイスが検出されない場合に、幾つかの異なるイベントが開始され得る。復元ボタンが不正確に作動する場合、特に同一のボタンが他の機能の作動にも使用される場合、次に適した作動が、復元リクエストを無視し２２４、動作を全く受け入れないことになるだろう。他の実施形態では、復元リクエストは、無視される２２４がシステムログに加えられ、及び／又はフラグ、イベント、若しくはアラームを生成し２２６、ネットワークデバイスの起こり得る改ざんをオペレータに知らせる。これは、図２の点線の長方形内部に示されている。
【００４０】
一又は複数の基本的な実施形態において認証デバイスの動作を要約すると、認証デバイスは、認証リクエストを受信し、必要であればそれを復号化することになる。リクエストを検証することに続き、認証応答が作成され、それが暗号化され、ネットワーク接続デバイスに送信される。
【００４１】
復元に続き、認証デバイスは切断され、イーサネットケーブルがネットワーク接続デバイスに再び接続されてもよく、又は認証デバイスがオプションで接続された状態を維持してもよい。復元が成功した後に、任意の証明書は、製品から除去されてしまうが、新しいシステムのパスワード及び／又は証明書を含む復元プロファイルが使用されないならば、ＩＰ設定及びシステムパスワードなどのすべての他のシステムの特定の設定とともに再びインストールされなければならない。
【００４２】
図３は、１つの実施形態による認証デバイス３０２の概略平面図であり、実際には、組み合わせて種々の異なる実施形態を形成し得る任意の数の可能な特性を示している。認証デバイス３０２は、キーパッド３２８を備え、パスワード保護機能性を可能にする。この文脈において、少なくとも２つの異なる機能性が強調され得る。第一に、実際の認証デバイスへのアクセスは、ピンコード又は類似のもので保護され得、認証された人物のみがそれを使用できることである。第二に、ピンコードがカメラへの応答に含まれ得、コードが分からない場合には復元されないことである。これら２つは、当然、別個に又は組み合わせて使用され得る。キーバッドはまた、認証デバイスとの通信にも使用され得、例として、特定の復元プロファイル、ピンコードの入力などが含まれる。特定の復元プロファイルは、特定のネットワーク接続デバイス用の個々のプロファイルを指すことがある。特定のネットワーク接続デバイスは、それに関連する幾つかの復元プロファイルを有し得る。即ち、１つの工場出荷時への復元は、示唆的にデフォルトの復元であり、多くの他の復元プロファイルは、ユーザが定義した設定又は予めインストールされた設定に基づいている。一又は多数の実施形態では、デフォルトのプロファイルと異なるプロファイルへの復元は、ユーザ定義型プロファイル又はテーラー作成型プロファイルをもたらすパラメータの自動設定が追従するデフォルトのプロファイルへの最初の復元を含む。
【００４３】
デフォルトのプロファイルは、一又は任意の実施形態において経時的に更新され得る。例は、カメラが工場から出荷される状態に対応するデフォルトのプロファイルを含むことができるだろう。これは、製造業者からソフトウェアのリリースが提供されるまで、デフォルトのプロファイルとなるだろが、その後、ソフトウェアのリリース又は少なくともその関連部分により、デフォルトのプロファイルが更新される。
【００４４】
デフォルトのプロファイルは、好ましくは、カメラに保存され、任意の他のプロファイルも同様にカメラに保存され得るが、これは、認証デバイスが、プロファイル全体というよりはむしろ、使用する（又は復元が行われるべきかを単に確認する）ためのプロファイルとだけ通信する必要があることを意味している。
【００４５】
認証デバイスは、種々の動作状態を示すための、ＬＥＤなどのインジケータライト３３０を含み得る。１つの例は、一致する証明書を信号で知らせる（緑色の）安定した光、又は処理が進行中であることを示すパルス状（緑色）の光とすることができるだろう。更なる表示は、カメラが工場のデフォルトを上手く通過し、正しく再起動されており、デフォルトプロファイルへの追加がインストールされていることを確認する、一又は複数の信号とすることができるだろう。
【００４６】
認証デバイスのボタン３３２は、復元開始が、復元が継続するためにボタン３３２の作動を必要とする点で、復元を検証するために使用され得る。カメラへの接続で検討された復元ボタンに関して、復元ボタン３３２は、別の形状又は形態を有し、同一の例が適用される。認証デバイスにおけるボタン３３２又は対応する機能性はまた、復元プロセスを開始する開始信号を生成するために構成され得る。そのような配置を有する１つの利点は、オペレータがカメラに直接アクセスする必要がないことである。監視カメラは、ポストの最上部、高速道路上方、橋の下、鉄道上方、階段など、アクセスが難しい場所に配置されることが多い。そのような実施形態において、認証デバイスのボタンは、カメラの復元機能性の役割を果たすように配線で接続され又はプログラムされるが、またカメラに送信される第１の信号を生成することもあり、その第１の信号は、復元プロセスの開始を引き起こすことになる。
【００４７】
認証デバイス１０２、３０２の更なる特性が、図１を参照して検討されてきた。
【００４８】
図４は、本発明の更なる実施形態による認証デバイスを示す。例示的実施形態では、最も顕著な差は、認証デバイス４０２が幾つかのカメラへの出力を可能にする、即ち、先ほどの実施形態と関連して述べられたものと同種の複数のコネクタを備えており、結果として接続デバイスの接続に利用可能な任意の数のチャネルをもたらす。図示された実施形態において、３つのそのようなチャネルが存在するが、チャネルの数は、実際にはそれより少なくても多くてもよい。カメラ４０４、４０４’、４０４’’の復元が開始すると、認証デバイス４０２の機能はまた、先述の実施形態に関連して既に記載されたものと同一のものとなるだろう。オペレータは、ユーザインターフェースを介して通信するが、これは、ピンコードのタイピング、ボタンの操作、又は検証がリクエストされる場合に、復元プロセスを検証するための類似のものに対応し得る。実施形態では、認証デバイスの各チャネルは、ＬＥＤライトと関連し、カメラからの初期化のリクエストが、対応するＬＥＤライトからの信号表示をもたらし、その後、ユーザは、認証デバイスのボタンを押すことによって、リクエストを検証し得る。また、チャネル毎に、そのようなボタンが１つ存在し得る。
【００４９】
代替的な実施形態では、ユーザインターフェースは、認証デバイス４０２に接続されている補助デバイス４３４を介して実現される。補助デバイスは、ポータブルコンピュータ、タブレット、又は別の携帯デバイスであり得る。
【００５０】
詳細な説明全体を通して、与えられたネットワーク接続デバイスの例がカメラであったに過ぎない。このことが本発明を限定するものと解釈されるべきではない。カメラを特徴づける特性が本発明の機能性にとって本質的なものではなく、「カメラ」という用語が、本発明の範囲を逸脱せずに、類似のデバイス同様に既に提供された例を含む任意の他のヘッドレスデバイスによって置換されてもよいことが容易に理解される。例は、物理的アクセスコントローラ、ネットワークドアステーション、ネットワークカードリーダー、ネットワークＩ／Ｏリレーモジュール、ビデオエンコーダ、ルータ、スイッチ、ネットワーク取付ストレージユニット、人員検出器、物体検出器、煙検出器、ネットワーク接続されたサーモスタットなどの種々のインターネットの物のユニット、ランプ、環境センサ、存在検出器、アクチュエータ、家庭用電化製品、マイクロフォン、ラウドスピーカー、健康モニタ、即ち、基本的に、イーサネット接続及び復元ボタンを含み、復元ボタンの作動がパスワードを工場出荷時のデフォルトにリセットするような任意のヘッドレスデバイスを含む。
【００５１】
当業者は上述の実施形態を多くの方法で修正し、かつ、上記の実施形態において示されている本発明の利点をなおも使用可能であると理解されるだろう。したがって、本発明は、図示された実施形態に限定されるべきではなく、添付の特許請求の範囲によってのみ定義されるべきである。更に、当業者が理解しているように、図示された実施形態を組み合わせてもよい。
【図１】
2018067908.tif 000003
【図２】
2018067908.tif 000004
【図３】
2018067908.tif 000005
【図４】
2018067908.tif 000006
【外国語明細書】
2018067908000001.pdf
2018067908000002.pdf
2018067908000003.pdf
2018067908000004.pdf